(57)【要約】【課題】  圧力計、温度計等の計器が、例えば搬送中の物品が衝突することによって損傷を受けるのを防止する。【解決手段】  圧力計Ｐが取り付けられた支柱Ｓの上端部に保護ケース１のケース本体２を取り付ける。ケース本体２の内部には、圧力計Ｐを収容する。ケース本体２の前面部には、左右の側板部２１，２２及び天板部２３によって区画される観察窓２４を設ける。この観察窓２４は、圧力計Ｐの表示窓Ｐｂと対向させる。観察窓２４は、遮蔽板３によって遮蔽する。遮蔽板３は、透明なポリカーボネート板によって形成する。【選択図】図１
2005091074.tif 000002
【特許請求の範囲】
【請求項１】
上下に立設された支柱の上端部に取り付けられた計器を保護するための計器用保護ケースであって、
下部に上記計器を内部に挿入するために挿入口が形成され、他の部位に内部を観察するための観察窓が形成された金属製のケース本体と、上記ケース本体にその観察窓を遮蔽するようにして設けられた透明な被覆板と、上記ケース本体の背面部に設けられ、上記ケース本体を上記支柱に取り付けるための取付手段とを備えていることを特徴とする保護ケース。
【請求項２】
上記計器が、その前面部に透明なガラス板で遮蔽された表示窓を有しており、上記観察窓が上記計器の表示窓と対向して設けられていることを特徴とする請求項１に記載の計器用保護ケース。
【請求項３】
上記ケース本体に多数の通気孔が形成されていることを特徴とする請求項１又は２に記載の計器用保護ケース。
【請求項４】
上記被覆板がポリカーボネードからなることを特徴とする請求項１〜３のいずれかに記載の計器用保護ケース。
【発明の詳細な説明】
【技術分野】
【０００１】
この発明は、圧力計や温度計のような各種の計器を保護するための計器用保護ケースに関する。
【背景技術】
【０００２】
一般に、圧力計や温度計は、軸線を前後方向に向けて配置された有底円筒状をなす金属製の計器本体と、この計器本体の内部に設けられた目盛板及び指針を有する計測部とを備えている。計器本体の前面開口部は、指針及び目盛板を観察するための表示窓になっている。この表示窓は、透明なガラス板によって遮蔽されている。これにより、指針や目盛板等が人手や他の部材に触れることが防止されている。
【０００３】
【特許文献１】特開平１１―１８３２９３号公報
【発明の開示】
【発明が解決しようとする課題】
【０００４】
上記構成を有する圧力計や温度計を工場その他の建物内に設置する場合には、建物の床に適宜の高さを有する支柱が立設され、この支柱の上端部に圧力計や温度計が取り付けられている。ところが、このようにして取り付けられた圧力計や温度計は、例えば搬送中の各種の部材が衝突して破損するおそれがあった。特に、表示窓に設けられたガラス板が割れるおそれがあった。
【課題を解決するための手段】
【０００５】
この発明は、上記の問題を解決するために、上下に立設された支柱の上端部に取り付けられた計器を保護するための計器用保護ケースであって、下部に上記計器を内部に挿入するために挿入口が形成され、他の部位に内部を観察するための観察窓が形成された金属製のケース本体と、上記ケース本体にその観察窓を遮蔽するようにして設けられた透明な被覆板と、上記ケース本体の背面部に設けられ、上記ケース本体を上記支柱に取り付けるための取付手段とを備えていることを特徴としている。
上記計器が、その前面部に透明なガラス板で遮蔽された表示窓を有している場合には、上記観察窓が上記計器の表示窓と対向して設けられていることが望ましい。
上記ケース本体には、多数の通気孔が形成されていることが望ましい。
上記被覆板は、ポリカーボネードによって構成することが望ましい。
【発明の効果】
【０００６】
上記特徴構成を有するこの発明によれば、ケース本体を支柱に取り付けることができ、しかも計器本体及び被覆板によって囲まれる空間内に計器を収容することができる。これによって、搬送中の物品等が計器に衝突するのを防止することができ、計器が破損するのを防止することができる。しかも、観察窓に設けられた被覆板が透明であるから、ケース本体内に収容された計器を観察窓から目視することができる。
【発明を実施するための最良の形態】
【０００７】
以下、この発明を実施するための最良の形態を、図面を参照して説明する。
図１〜図７は、この発明の第１の実施の形態を示す。まず、この実施の形態の計器用保護ケース１が保護すべき圧力計（計器）Ｐについて簡単に説明すると、圧力計Ｐは、図１〜図４において想像線で示されている。圧力計Ｐは、周知のものと同様に構成されており、金属製の有底円筒状をなす計器本体Ｐａを有している。この計器本体Ｐａの内部には、目盛板及び指針等を有する計測部（図示せず）が設けられている。計器本体Ｐａの前端（図４において左端）開口部が表示窓Ｐｂになっており、この表示窓Ｐｂはガラス板（図示せず）によって遮蔽されている。ガラス板は透明であるので、指針及び目盛板等はガラス板越しに目視することができる。計器本体Ｐａの下部には、下方に突出する接続部Ｐｃが設けられており、この接続部Ｐｃはボイラー等の圧力発生源に配管（いずれも図示せず）を介して接続されている。これにより、圧力計Ｐが圧力発生源の圧力を測定することができるようになっている。圧力計Ｐの計器本体Ｐａは、工場等の床に立設された断面四角形の支柱Ｓの上端部にブラケットＢを介して取り付けられている。この場合、圧力計Ｐは、その表示窓Ｐｂをほぼ水平方向前方に向けて取り付けられている。
【０００８】
次に、上記構成の圧力計Ｐが搬送中の物品等の衝突によって破損するのを防止するための保護ケース１について説明すると、保護ケース１は、図１〜図５において実線で示すように、ケース本体２を有している。ケース本体２は、金属製の型材及び板材からなるものであり、左右方向に対向する一対の側板部２１，２２及びこの一対の側板部２１，２２の上端部間に一体に設けられた天板部２３とによって全体が略「コ」字状に形成されている。側板部２１，２２及び天板部２３には、それぞれを貫通する多数の通気孔２１ａ，２２ａ，２３ａが形成されている。各通気孔孔２１ａ，２２ａ，２３ａは、長孔状に形成されているが、その形状な任意である。
【０００９】
一対の側板部２１，２２及び天板部２３の各前端部によって区画される四角形の前面開口部が観察窓２４になっている。この観察窓２４は、遮蔽板３によって遮蔽されている。遮蔽板３は、側板部２１，２２及び天板部２３の各前面に接着その他の固定手段によって固定されている。被覆板３は、透明な板材によって構成されている。したがって、圧力計Ｐの指針及び目盛板等は、被覆板３及び表示窓Ｐｂのガラス板越しに目視することができる。また、被覆板３は、圧力計Ｐのガラス板に搬送中等の物品等が衝突してガラス板が破損するのを防止するために、少なくともガラス板より高い耐衝撃性を有している。被覆材板３は、実際には、同一の厚さを有する金属板に匹敵する程度の耐衝撃性を有する材質によって構成するのが望ましい。そのような材質としては、例えばポリカーボネードがある。ポリカーボネードは、耐衝撃性が強いのみならず、衝撃を受けても大きなひび割れ等が発生せず、透明性が大きく失われることが少ないという利点を有している。
【００１０】
ケース本体２の背面部には、保護ケース１を支柱Ｓの上端部に取り付けるための取付手段４が設けられている。取付手段４は、図６に示す取付板４１及び図７に示す挟持板４２を有している。取付板４１は、その長手方向を左右方向に向けた状態で、保護ケース１の背面部の上下方向における中央部に配置されている。取付板４１の両端部は、側板部２１，２２の後端面（背面）に固定されている。取付板４１の後面（背面）の所定の箇所には、取付凹部４１ａが形成されている。この取付凹部４１ａは、図５に示すように、支柱Ｓの前側の側部をほとんど隙間なく嵌め込むことができるように、その形状及び寸法が定められている。一方、挟持板４２は、その前面に取付凹部４２ａが形成されている。この取付凹部４２ａは、取付凹部４１ａと同一の形状及び寸法を有し、支柱Ｓの背面側の側部がほとんど隙間なく嵌め込むことができるようになっている。
【００１１】
取付板４１及び挟持板４２を利用してケース本体２、ひいては保護ケース１を支柱Ｓに取り付けることができる。保護ケース１を支柱Ｓに取り付ける場合には、挟持板４２を取付板４１に対して後方において対向させ、取付凹部４１ａ，４２ａに支柱Ｓの上端部の前側部と後側部とをそれぞれ嵌合させる。その後、挟持板４２を貫通した一対のボルト４３，４３を取付板４１の前面に固定されたナット４４，４４にそれぞれ螺合させて閉め付ける。すると、取付板４１と挟持板４２とが支柱Ｓを前後に挟持する。これにより、ケース本体２、ひいては保護ケース１が支柱Ｓの上端部に取り付けらる。
【００１２】
ケース本体２の下面部は、下方に向かって開放されている。この開放部は、下方から見たとき側板部２１，２２、被覆板３及び取付板４１とによって四角形に区画されている。この四角形をなすケース本体２の下端開口部が、挿入口２５になっている。挿入口２５は、ケース本体２の内部に圧力計Ｐを下方から挿入するためのものであり、圧力計Ｐをケース本体２内に挿入することができる形状及び寸法を有するものであれば、四角形以外の形状を採用してもよい。
【００１３】
上記構成の保護ケース１を用いて支柱Ｓの上端部に取り付けられた圧力計Ｐを保護する場合には、まず圧力計Ｐの真上に挿入口２５が位置するよう、ケース本体２を圧力計Ｐの上方に位置させる。その後、ケース本体２を下方へ移動させ、圧力計Ｐを挿入口２５からケース本体２内の所定の位置まで挿入する。このとき、ブラケットＢと取付板４１とは、互いに突き当たることがないように、それぞれの形状、寸法、取付位置等が予め考慮されている。次に、取付板４１の取付凹部４１ａに支柱Ｓの前側部を嵌合させるとともに、挟持板４２の取付凹部４２ａに支柱Ｓの後側部を嵌合させる。そして、ボルト４３をナット４４に螺合させて締め付けることにより、保護ケース１を支柱Ｐに取り付けることができる。保護ケース１が支柱Ｓに取り付けられた状態においては、保護ケース１の内部に圧力計Ｐが収容されている。したがって、搬送中の物品等が圧力計Ｐに直接衝突するのを保護ケース１によって確実に阻止することができ、それによって圧力計Ｐの損傷を防止することができる。
【００１４】
図８〜図１１は、この発明の第２の実施の形態を示す。この実施の形態の保護ケース１′は、左右方向に並んで配置された圧力計や温度計等の三つの計器Ｐ１，Ｐ２，Ｐ３を同時に保護するようにしたものであり、計器Ｐ１〜Ｐ３は、左右に並んで立設された二つの支柱Ｓ１，Ｓ２の上端部にブラケットＢを介して取り付けられている。二つの支柱Ｓ１，Ｓ２に対応して、取付板４１には二つの取付凹部４１ａ，４１ａが形成され、二つの挟持板４２，４２が用いられている。その他の構成は、ケース本体２及び遮蔽板３の大きさが三つの計器Ｐ１〜Ｐ３を収容することができるよう、上記実施の形態のケース本体２及び遮蔽板３より大きく形成されている点を除き、上記実施の形態と同様に構成されている。そこで、同様な構成部分には同一符号を付してその説明を省略する。
【００１５】
なお、この発明は、上記の実施の形態に限定されるものでなく、その要旨を逸脱しない範囲において適宜変更可能である。
例えば、上記の実施の形態においては、この発明に係る計器用保護ケース１によって圧力計Ｐを保護するようにしているが、温度計、その他の各種の計器を保護することができる。
また、上記の実施の形態においては、ケース本体２の背面部を開放しているが、ケース本体２の背面部に当該背面部を遮蔽する背板部を設けてもよい。そして、その背板部を取付手段の一部として用いてもよい。つまり、背板部を上記の実施の形態の取付板４１として兼用させてもよい。
【図面の簡単な説明】
【００１６】
【図１】この発明の第１の実施の形態を示す正面図である。
【図２】同実施の形態の背面図である。
【図３】同実施の形態の平面図である。
【図４】同実施の形態の右側面図である。
【図５】図１のＸ−Ｘ線に沿う断面図である。
【図６】同実施の形態において用いられている取付板を示す図であって、図６（Ａ）はその正面図、図６（Ｂ）はその側面図、図６（Ｃ）はその平面図である。
【図７】同実施の形態において用いられている挟持板を示す図であって、図７（Ａ）はその正面図、図７（Ｂ）はその平面図、図７（Ｃ）はその側面図である。
【図８】この発明の第２の実施の形態を示す正面図である。
【図９】同実施の形態の背面図である。
【図１０】同実施の形態の平面図である。
【図１１】同実施の形態の右側面図である。
【符号の説明】
【００１７】
Ｐ  圧力計
Ｐａ  表示窓
Ｐ１  計器
Ｐ２  計器
Ｐ３  計器
Ｓ  支柱
Ｓ１  支柱
Ｓ２  支柱
１  計器用保護ケース
１′  計器用保護ケース
２  ケース本体
３  遮蔽板
４  取付手段
２１ａ  通気孔
２２ａ  通気孔
２３ａ  通気孔
２４  観察窓
２５  挿入口
【図１】
2005091074.tif 000003
【図２】
2005091074.tif 000004
【図３】
2005091074.tif 000005
【図４】
2005091074.tif 000006
【図５】
2005091074.tif 000007
【図６】
2005091074.tif 000008
【図７】
2005091074.tif 000009
【図８】
2005091074.tif 000010
【図９】
2005091074.tif 000011
【図１０】
2005091074.tif 000012
【図１１】
2005091074.tif 000013